(57)【要約】  送信側終端シリアル接続は、複数の電流モード駆動装置を段階的シーケンスでオンに切り替えることにより低電力モードから戻り得る。段階的シーケンスは、電源網の共振特性と関連する。
2008547140.tif 000002
【特許請求の範囲】
【請求項１】
シリアル接続回路であって、
別個にオン及びオフに切り替えられ得る複数の並列電流モード駆動装置、及び
低電力モードから戻るために前記複数の並列電流モード駆動装置を段階的シーケンスでオンに切り替える制御回路、を有するシリアル接続回路。
【請求項２】
前記制御回路は、前記低電力モードに入るために前記複数の電流モード駆動装置を前記段階的シーケンスでオフに切り替えるよう結合される、請求項１記載のシリアル接続回路。
【請求項３】
前記複数の電流モード駆動装置のそれぞれは、前記制御回路によりオン又はオフに切り替えられるよう結合された電流源を有する、請求項１記載のシリアル接続回路。
【請求項４】
前記複数の電流モード駆動装置のそれぞれは、前記電流源と結合された送信側終端網を更に有する、請求項３記載のシリアル接続回路。
【請求項５】
前記送信側終端網は、前記低電力モードに入るときに終端抵抗を増大するよう制御可能である、請求項４記載のシリアル接続回路。
【請求項６】
前記段階的シーケンスのタイミングは、前記シリアル接続回路へ電力を供給する電源網の共振特性と関連する、請求項１記載のシリアル接続回路。
【請求項７】
前記段階的シーケンスは、電源網の過渡電流を相殺的に結合するよう期限を決められる、請求項６記載のシリアル接続回路。
【請求項８】
集積回路であって、
共振特性を有する電源網、及び
前記電源網の共振特性と時間的に関連したシーケンスでオンに切り替え可能な複数の並列駆動装置を有するシリアル接続回路、を有する集積回路。
【請求項９】
低電力モードから戻るために、前記複数の並列駆動装置をオンに切り替えるよう結合された制御回路、を更に有する請求項８記載の集積回路。
【請求項１０】
前記シリアル接続回路は、前記複数の並列駆動装置がオンに切り替えられた時に終端値を変化可能なプログラム可能な送信側終端を有する、請求項８記載の集積回路。
【請求項１１】
前記シリアル接続回路は、前記複数の並列駆動装置を前記電源網の過渡電流を減少するシーケンスでオンに切り替える制御回路を有する、請求項８記載のシリアル接続回路。
【請求項１２】
前記制御回路は、前記複数の並列駆動装置がオンに切り替えられた時に送信側終端値を変更するよう結合される、請求項１１記載の集積回路。
【請求項１３】
電子システムであって、
アンテナ、
前記アンテナと結合された無線周波数回路、及び
前記無線周波数回路と結合されたチップセット、を有し、
前記チップセットはプロセッサー及びメモリー制御装置を有し、前記メモリー制御装置はメモリー装置と通信するシリアル接続回路を有し、前記シリアル接続回路は別個にイネーブル及びディスエーブルされ得る複数の並列電流モード駆動装置を有し、並びに前記システムは、
低電力モードから戻るために前記複数の並列電流モード駆動装置を段階的シーケンスでイネーブルする制御回路、を更に有する電子システム。
【請求項１４】
前記シリアル接続回路は、前記複数の電流モード駆動装置と結合された送信側終端網を更に有する、請求項１３記載の電子システム。
【請求項１５】
前記段階的シーケンスのタイミングは、前記シリアル接続回路へ電力を供給する電源網の共振と関連する、請求項１３記載の電子システム。
【請求項１６】
前記段階的シーケンスは、電源網の過渡電流を相殺的に結合するよう期限を決められる、請求項１５記載の電子システム。
【請求項１７】
方法であって、
電流駆動装置内の電流を減少し及び送信側終端を増大することにより、低電力モード中にシリアル接続をパークする段階、を有する方法。
【請求項１８】
前記低電力モードから戻る時に前記電流駆動装置内の電流を増加し及び前記送信側終端を減少する段階、を更に有する請求項１７記載の方法。
【請求項１９】
前記電流を増大する段階は、複数の並列電流モード駆動装置を段階的シーケンスでオンに切り替える段階を有し、前記段階的シーケンスは電源網の共振特性と関連する、請求項１８記載の方法。
【請求項２０】
複数の並列電流駆動装置をオンに切り替える段階は、前記複数の並列電流駆動装置を、電源網の過渡電流を相殺的に加算するシーケンスでオンに切り替える段階を有する、請求項１９記載の方法。
【発明の詳細な説明】
【技術分野】
【０００１】
本発明は、一般に入力／出力（Ｉ／Ｏ）回路に関連し、より詳細にはシリアルＩ／Ｏ回路に関連する。
【背景技術】
【０００２】
接続に基づくシステムは、ポイント・ツー・ポイント接続を用い装置間で通信する。各ポイント・ツー・ポイント接続は単一のシリアル接続として考えられ得る。装置が低電力モードに入ると、シリアル接続もまた低電力モードに入り得る。低電力モードから戻る時、電源過渡電流が生じ、及びシステムは動作を開始する前に過渡電流が終了するのを待つ。
【発明の開示】
【発明が解決しようとする課題】
【０００３】
本発明は、シリアル接続装置、方法及びシステムを提供する。
【発明を実施するための最良の形態】
【０００４】
以下の詳細な説明では、説明を目的として本発明が実施され得る特定の実施例を示す添付の図面を参照する。当該実施例は、当業者が本発明を実施可能なよう十分に詳細に記載される。本発明の種々の実施例は異なるが、必ずしも相互に排他的ではないことが理解されるべきである。例えば、ある実施例に関連して本願明細書に記載された特定の機能、構造又は特徴は、本発明の精神と範囲から逸脱することなく他の実施例で実施されて良い。更に、それぞれの開示された実施例の個々の構成要素の配置又は構成は、本発明の精神と範囲から逸脱することなく変更されて良いことが理解されるべきである。以下の詳細な説明は従って、限定的と見なされるべきではない。そして本発明の精神と範囲は、請求項が権利を与えられる全ての等価物と共に適切に解釈される特許請求の範囲によってのみ定められる。図中、複数の図を通じて同様の符合は同一の又は同様の機能を示す。
【０００５】
図１は、シリアル接続により結合された２個の集積回路を示す。集積回路１１０は、電流モード（Ｉモード）駆動装置１１８、前置駆動装置１１６、コア・ロジック１１４、電源網１１２、及び電流／終端制御装置１２０を有する。集積回路１６０は受信機１６２を有するよう示される。いくつかの実施例では、集積回路１６０は受信機１６２の入力に終端を有さない。これらの実施例では、図１に示された通信接続は「送信側終端」として称される。
【０００６】
集積回路１１０内の電流モード駆動装置１１８は、集積回路１６０内の受信機１６２により受信される差分信号を有する導体１３０及び１４０を駆動する。電流モード駆動装置１１８及び電流／終端制御回路１２０は、集積回路１１０内でシリアル接続回路を形成する。シリアル接続回路は、集積回路１１０の外部の導体１３０及び１４０にシリアル方式で差分データを駆動する。
【０００７】
コア・ロジック１１４は、集積回路１１０内のコアを表す。例えば、コア・ロジック１１４はプロセッサー、メモリー制御装置、又は集積回路内の如何なる他のロジックを実施しても良い。前置駆動装置１１６は、コア・ロジック１１４から信号を受信し、及び電流モード駆動装置１１８を駆動する。
【０００８】
動作中、電流モード駆動装置１１８により形成されたシリアル接続は、導体１３０及び１４０に電流モード信号を駆動する。電力は電源網１１２を通じて電流モード駆動装置１１８へ供給される。電源網１１２は、電源と電流モード駆動装置１１８との間の如何なる信号相互接続をも表す。いくつかの実施例では、電源網１１２は、集積回路１１０の境界で多くのシリアル接続と結合される。更に、いくつかの実施例では、電源網１１２は、集積回路１１０の全部ではないが大部分へ電力を供給するために結合される。
【０００９】
本発明のいくつかの実施例では、シリアル接続は低電力モードに入って良い。低電力モードでは、電流モード駆動装置１１８は自身の電力消費を大幅に低減し、及びシリアル接続の電圧レベルを維持する。例えば、通常動作モードの間、電流モード駆動装置１１８は、前置駆動装置１１６から受信したデータ信号に応答して導体１３０及び１４０に差分信号を駆動して良い。電流／終端制御回路１２０は、電流モード駆動装置１１８へ信号を送信し、電流モード駆動装置１１８に電力消費を低減させ、及び電流モード駆動装置１１８の共通モード電圧を含む出力電圧レベルを「パーク」させて良い。共通モード電圧は、（Ｖ＋Ｖ＃）／２として定められ、Ｖ及びＶ＃は導体１３０及び１４０で駆動される電圧である。いくつかの実施例では、同時に生じる送信電流の減少と送信側終端の増大を整合することにより、接続は所望の電圧レベルに「パーク」される。送信電流と終端抵抗の積が実質的に一定のままである場合、パークされた電圧値は、動作時のシリアル接続の電圧値と実質的に一致する。
【００１０】
電源網１１２は共振特性を有して良い。例えば、電源網１１２内で相互接続された如何なる信号の物理的及び電気的特性によっても、電源網１１２は、電流が急に変化した場合の過渡電圧応答に貢献する時定数と共振周波数を有する。電源網１１２は、電源網１１２に含まれる任意の相互接続の共振特性を記述するために、抵抗器、キャパシター、及びインダクターにより集中素子としてモデル化され得る。例えば、集積回路１１０の設計中に、電源網１１２は共振特性を推定するためにモデル化されて良い。更に、共振特性は、集積回路１１０が製造された後に実験的に決定されて良い。
【００１１】
いくつかの実施例では、電流／終端制御回路１２０は、電流モード駆動装置１１８を段階的シーケンスで低電力モードに進入させ、従って電源網１１２の共振特性により引き起こされる如何なる過渡効果も低減させる。例えば、いくつかの実施例では、電流モード駆動装置１１８は多くの小型電流モード駆動装置を並列に有する。また電流／終端制御回路１２０は並列の電流モード駆動装置のそれぞれの電流消費を段階的シーケンスで低減する。段階的シーケンスは電源網１１２の種々の過渡成分の相殺的総和を生じるよう時期を決められる。
【００１２】
更に、いくつかの実施例では、シリアル接続内の多くの並列電流モード駆動装置は、段階的シーケンスでオンに切り替えられ、電源網に総合電圧レベルを供給し迅速に安定させる。電源網が総合電圧を迅速に安定させると、省電力モードからの「起動」待ち時間は短縮され、より早い動作をもたらす。添付の図面を参照して例が記載される。
【００１３】
図１は集積回路間の単一の信号接続を示すが、本発明はこれに限定されない。例えば、集積回路１１０は、多くの電流モード駆動装置を有し多くのシリアル接続を形成して良い。また例えば、集積回路１６０は、電流モード駆動装置を有し、シリアル接続を用いデータを集積回路１１０へ送信して良い。
【００１４】
図２は、並行電流モード駆動装置を示す。図２に示されるように、電流モード駆動装置２１０、２２０及び２３０は並列に結合される。電流モード駆動装置２１０、２２０及び２３０のそれぞれは、電源網１１２から電力を受信し、前置駆動装置１１６から信号を受信し、及び電流／終端制御回路１２０から制御信号を受信する。電源網１１２、電流／終端制御回路１２０、及び前置駆動装置１１６は、図１を参照して上述された。図２に示される電流モード駆動装置の並列の組み合わせは、電流モード駆動装置１１８（図１）のような、シリアル接続の単一電流モード駆動装置を表す。
【００１５】
電流モード駆動装置２１０は、可変電流源２１２、スイッチ２２２及び２２４、並びに可変抵抗値終端抵抗器２１４及び２１６を有する。いくつかの実施例では、可変電流源２１２はオン及びオフを切り替えられ得る。例えば、可変電流源２１２は、電流をオフに切り替え可能なスイッチング・トランジスターを有する電流ミラーを用い実施されて良い。更に、可変抵抗値終端抵抗器２１４及び２１６は、２つ以上の抵抗値の間で切り替え可能であって良い。例えば、抵抗器２１４及び２１６のそれぞれは、スイッチング・トランジスターと直列に、抵抗器の並列の組み合わせを有して良い。スイッチング・トランジスターは、終端回路に電気的に抵抗を有し得るか、又は終端回路からの抵抗を電気的に排除し得るかの何れかである。
【００１６】
電流／終端制御回路１２０は、可変電流源２１２及び終端抵抗器２１４及び２１６へ単一の線を有するよう示される。いくつかの実施例では、電流／終端制御回路１２０は、多くの別個のデジタル信号を供給し、可変電流源２１２及び抵抗器２１４及び２１６の動作を制御する。前置駆動装置１１６は、データ信号を供給しスイッチ２２２及び２２４を動作するよう示される。いくつかの実施例では、前置駆動装置１１６は、２つの相補的デジタル信号を供給しスイッチ２２２及び２２４を動作するよう示される。スイッチ２２２及び２２４は、金属酸化膜半導体電界効果トランジスター（ＭＯＳＦＥＴ）又は接合電界効果トランジスター（ＪＦＥＴ）を含む如何なる種類のスイッチング装置を用い実施されても良い。
【００１７】
電流モード駆動装置２２０及び２３０は、電流モード駆動装置２１０で示されたものと同一の回路を有する。電流モード駆動装置２１０、２２０及び２３０のそれぞれは、電源網１１２から電力を受信し、前置駆動装置１１６から同一のデータを受信して良い。例えば、送信側前置準漏話等化器が利用される場合、各前置駆動装置及び駆動装置は、データ信号、又は遅延及び／又は反転されたデータ信号を受信して良い。電流モード駆動装置２１０、２２０及び２３０は、電流／終端制御回路１２０から異なる制御情報を受信して良い。例えば、いくつかの実施例では、電流／終端制御回路１２０は、電流モード駆動装置２１０、２２０及び２３０内の電流源のそれぞれを段階的シーケンスでオフに切り替え、電源網１１２の如何なる過渡電流も低減して良い。例えば、低電力モードに入る時、電流／終端制御回路１２０は電流源２１２をオフに切り替え、そして次に少し後で電流モード駆動装置２２０内の電流源をオフに切り替え、そして次に再び少し後で電流モード駆動装置２３０内の電流源をオフに切り替えて良い。低電力モードに入る時、１又は複数の電流モード駆動装置はオンのままにされ、シリアル接続の電圧を保持して良い。また低電力モードに入る時、電流／終端制御回路１２０は、可変終端抵抗器の抵抗値を段階的シーケンスで変更して良い。例えば、電流／終端制御回路１２０は、電流モード駆動装置２１２がオフに切り替えられた時に可変抵抗器の抵抗値を増大して良い。更に、電流／終端制御回路１２０は、残りの電流モード駆動装置に対応する電流源が低電力モードに入る時にオフに切り替えられる時、当該電流モード駆動装置内の終端抵抗器の抵抗値を増大して良い。
【００１８】
電流モード駆動装置はまた、段階的シーケンスでシリアル接続に対しイネーブルされ、低電力モードから戻って良い。例えば、低電力モードの間、電流モード駆動装置２３０だけがオンに切り替えられ、残りの電流モード駆動装置はオフに切り替えられたままであって良い。低電力（又は「スリープ」）モードから戻る時、電流／終端制御回路１２０は可変電流源２１２をイネーブルし、及び可変抵抗器２１４及び２１６の抵抗値を減少して良い。少し後で、電流／終端制御回路１２０は電流モード駆動装置２２０内の可変電流源２１２をオンに切り替え、及び電流モード駆動装置２２０内の可変終端抵抗器の抵抗値を減少して良い。
【００１９】
図２は、シリアル接続回路内に１つの大きい電流モード駆動装置を形成する３個の並列電流モード駆動装置を示す。いくつかの実施例では、３個より多い電流モード駆動装置が並列に結合される。例えば、いくつかの実施例では２０個の電流モード駆動装置が並列に結合され、また他の実施例では３２個の電流モード駆動装置が並列に結合される。単一シリアル接続に対する並列駆動装置の数は、本発明の制限ではない。
【００２０】
図３は、動作モードのシリアル接続を示す。シリアル接続３００は、図１又は２に示されたような接続を表し、全電流値を駆動する電流モード駆動装置、及び通常動作終端抵抗値の終端抵抗器を有する。例えば、図２に戻ると、全ての並列電流モード駆動装置２１０、２２０及び２３０はオンに切り替えられたそれら個々の電流源で動作可能であり、及びそれら並列電流モード駆動装置の可変抵抗器がそれら可変抵抗器の公称抵抗値で終端する場合、結果として動作可能シリアル接続３００が生じる。電流値Ｉ０は、種々の並列電流モード駆動装置内の全ての電流の和を表す。
【００２１】
図４は、低電力モードのシリアル接続駆動装置を示す。図４は、電流源により電流値Ｉ０／２０が供給されることが示される。いくつかの実施例では、これは、２０個の駆動装置のうちの１９個がオフに切り替えられ、及び１個がオンに切り替えられたままである、２０個の並列電流モード駆動装置に対応する。更に、示された各終端抵抗は、図３に示された（公称）動作モードの終端抵抗値の２０倍の値を有する。図１を参照して上述されたように、駆動電流と終端抵抗の積が動作モードと低電力モードとの間で実質的に一定である場合、所望の電圧は「パーク」された時にシリアル接続に維持されて良い。シリアル接続が低電力モードであり、及び図４に示されるようにパークされる場合、導体１３０及び１４０の電圧は安定し、従ってシリアル接続が低電力モードから出た時に、シリアル接続は規則正しい方法で回復する。
【００２２】
図５は電圧及び電流波形を示す。電流波形５１０及び５３０は、異なる時間にオフに切り替えられる２つの電流源を示す。各電流源は値Ｉ０／２を供給する。これはシリアル接続の電流モード駆動装置に対応し、それぞれＩ０／２を供給する電流源を有する２つの小さい並列電流モード駆動装置を有する。波形５２０は、５１０に示される電流変化の結果として電源網に現れ得る過渡電圧波形を示す。例えば、図２に戻ると、可変電流源２１２が５１０に示されたようにオフに切り替えられる場合、電源網の共振特性のため、５２０のような電圧波形が電源網１１２に現れて良い。従って、５２０の電圧波形は周期Ｔを有する。Ｔは電源網の共振特性に関連する。
【００２３】
５３０に示された電流波形は、第１の並列電流モード駆動装置がオフに切り替えられてから（１／２）Ｔの後にオフに切り替えられる第２の電流モード駆動装置を表す。５４０に示された過渡電圧波形は、電流波形５３０が電源網の唯一の電流変化である場合に生じ得る。しかしながら、電流波形５１０と５３０の両方が電源網に現れるので、電源網の電圧は５２０及び５４０の電圧波形の和である。この和は５５０に示される。電圧波形５５０により示されたように、並列電流モード駆動装置は段階的シーケンスでオフに切り替えられ、電源網の過渡電圧を低減し得る。段階的シーケンスでは、シーケンスのタイミングは電源網の共振特性と関連する。
【００２４】
図５の例は、段階的シーケンスでオフに切り替えられシリアル接続を省電力モードにする２個の並列電流モード駆動装置を表す。いくつかの実施例では、２個より多くの並列電流モード駆動装置がオフに切り替えられ、シリアル接続を低電力モードにする。例えば、いくつかの実施例では、２０個以上の並列電流モード駆動装置が間隔（１／２）Ｔで一度にオフに切り替えられ、過渡波形を更に縮小する。また例えば、並列電流モード駆動装置は、図５に示されたものと同様の段階的シーケンスでオンに切り替えられ、シリアル接続が省電力モードから戻る時に電源網の過渡電圧を低減して良い。
【００２５】
図６は、本発明の種々の実施例によるシステム図を示す。図６に示されるシステム６００は、チップセット６１０、無線周波数（ＲＦ）回路６６０、アンテナ６７０、メモリー装置６５０、及びチャネル１０４及び１２４を有する。チップセット６１０は、プロセッサー６２０、入力出力（Ｉ／Ｏ）制御装置６３０、及びメモリー制御装置６４０を有する。動作中、システム６００は、アンテナ６７０を用い信号を送受信する。またこれらの信号は図６に示された種々の要素により処理される。アンテナ６７０は、指向性アンテナ又は全方向アンテナであって良い。本願明細書で用いられるように、用語「全方向アンテナ」は、少なくとも１つの面で実質的に均一パターンを有する如何なるアンテナも示す。例えば、いくつかの実施例では、アンテナ６７０はダイポール・アンテナ又は４分の１波長アンテナのような全方向アンテナであって良い。また例えば、いくつかの実施例では、アンテナ６７０はパラボラ・アンテナ、パッチ・アンテナ、又は八木アンテナのような指向性アンテナであって良い。いくつかの実施例では、アンテナ６７０は複数の物理アンテナを有して良い。
【００２６】
無線周波数回路６６０は、アンテナ６７０及びＩ／Ｏ制御装置６３０と通信する。いくつかの実施例では、ＲＦ回路６６０は通信プロトコルに対応する物理インターフェース（ＰＨＹ）を有する。例えば、ＲＦ回路６６０は、変調装置、復調装置、混合器、周波数合成器、低雑音増幅器、電力増幅器等を有して良い。いくつかの実施例では、ＲＦ回路６６０はヘテロダイン受信機を有して良い。また他の実施例では、ＲＦ回路６６０は直接変換受信機を有して良い。いくつかの実施例では、ＲＦ回路６６０は複数の受信機を有して良い。例えば、複数のアンテナ６７０を有する実施例では、各アンテナは対応する受信機と結合されて良い。動作中、ＲＦ回路６６０は通信信号をアンテナ６７０から受信し、及びアナログ又はデジタル信号をＩ／Ｏ制御装置６３０へ供給する。更に、Ｉ／Ｏ制御装置６３０は、信号をＲＦ回路６６０へ供給して良い。ＲＦ回路６６０は信号を処理し、そしてそれら信号をアンテナ６７０へ送信する。
【００２７】
メモリー制御装置６４０は、チップセット６１０とメモリー装置６５０のようなメモリー装置との間のインターフェースを提供する。メモリー制御装置６４０は、シリアル接続回路６４２を有し、メモリー装置６５０と通信する。例えば、シリアル接続回路６４２は、導体１３０によりメモリー装置６５０と結合されるよう示される。導体１３０及び１４０、及び当該導体に関連するシリアル接続の実施例は、前述の図を参照して記載される。シリアル接続回路６４２は、１又は複数の並列電流モード駆動装置を有して良い。例えば、いくつかの実施例では、シリアル接続回路６４２は、段階的シーケンスでオン及びオフに切り替えられ得る複数の並列電流モード駆動装置を有し、シリアル接続を低電圧モードに効率的に「パーク」して良い。シリアル接続回路６４２は、本願明細書に記載された如何なるシリアル接続の実施例を有しても良い。
【００２８】
チップセット６１０は如何なる数の集積回路、又は「チップセット」を有しても良く、及び如何なるレベルの集積度を有しても良い。例えば、いくつかの実施例では、チップセット６１０はプロセッサー６２０及びメモリー制御装置６４０を別個のパッケージに有する。また例えば、いくつかの実施例では、チップセット６１０はプロセッサー６２０及びメモリー制御装置６４０を同一の集積回路ダイか、又は一緒にパッケージされた別個の集積回路ダイに有して良い。
【００２９】
図６により示される例であるシステムは、携帯電話、パーソナル・デジタル・アシスタント、無線ローカル・エリア・ネットワーク・インターフェース、又は如何なる他の適切なシステムを有する。シリアル接続に使用される多くの他のシステムが存在する。例えば、チップセット６１０は、デスクトップ・コンピューター、ネットワーク・ブリッジ若しくはルーター、又はアンテナを有さない如何なる他のシステムで用いられても良い。
【００３０】
図７は、本発明の種々の実施例によるフローチャートを示す。いくつかの実施例では、方法７００はシリアル接続回路を低電力モードで動作するために用いられて良い。いくつかの実施例では、方法７００又は方法７００の部分は、シリアル接続回路により実行される。シリアル接続回路の実施例は、種々の図に示される。他の実施例では、方法７００はメモリー制御装置又はチップセットにより実行される。方法７００は、当該方法を実行する装置の特定の種類により制限されない。方法７００の種々の動作は示された順序で実行されて良く、又は異なる順序で実行されても良い。更に、いくつかの実施例では、図７に記載されたいくつかの動作は、方法７００から省略される。
【００３１】
方法７００は７１０で開始する。７１０では、駆動装置内の電流を減少し及び送信側終端を増大することにより、シリアル接続は低電力モードでパークされる。いくつかの実施例では、電流は、並列電流モード駆動装置を段階的シーケンスでオフに切り替えることにより減少される。いくつかの実施例では、送信側終端抵抗器の値は、電流が減少されると増大される。低電力モードでは、シリアル接続の電圧は既知の状態に維持され、従って回路は制御された方法で低電力モードから戻り得る。
【００３２】
７２０で、複数の並列駆動装置は、段階的シーケンスでオンに切り替えられ、低電力モードから戻る。７３０で、送信側終端は７２０と同一の段階的シーケンスで減少される。いくつかの実施例では、段階的シーケンスは電源網の共振特性と関連する。複数の並列駆動装置を段階的シーケンスでオンに切り替えることにより、電源網の過渡電流は減少され、当該電源網と結合された回路の動作をそうでない場合より早くする。
【００３３】
本発明は特定の実施例と関連して記載されたが、当業者が直ちに理解するように、本発明の精神と範囲から逸脱することなく変更及び変化がなされて良いことが理解される。このような変更及び変化は、本発明の範囲及び特許請求の範囲内に含まれると見なされる。
【図面の簡単な説明】
【００３４】
【図１】シリアル接続により結合された２個の集積回路を示す。
【図２】並列電流モード駆動装置を示す。
【図３】動作モードのシリアル接続を示す。
【図４】便利な共通モード・パーキングを有する低電力モードのシリアル接続駆動装置を示す。
【図５】電圧及び電流波形を示す。
【図６】本発明の種々の実施例による電子システムの図を示す。
【図７】本発明の種々の実施例によるフローチャートを示す。
【図１】
2008547140.tif 000003
【図２】
2008547140.tif 000004
【図３】
2008547140.tif 000005
【図４】
2008547140.tif 000006
【図５】
2008547140.tif 000007
【図６】
2008547140.tif 000008
【図７】
2008547140.tif 000009
【国際調査報告】
2008547140.tif 000010
2008547140.tif 000011